(57)【要約】【課題】  鉄塔などの高所にも簡単に持ち込むことができ、アンテナなどの設置物の方位角度を精度よく測定できる方位測定装置を提供すること。【解決手段】  測定対象物に係合するための係合部を有する基板を設け、該基板上に直立軸を設けると共に上記基板の板面に上記直立軸を通る直線を描いて当該直線により方向線を形成し、上記直立軸に東西南北を記した分度器を回転自在に軸挿し、上記分度器上に真北測定器を上記分度器の北を示す位置にその真北指示部を一致させて設け、上記真北測定器を分度器と共に回転させて上記真北指示部を真北方向に向けた状態において当該真北と上記方向線との角度差を上記分度器により測定可能とする。【選択図】  図１
2008051769.tif 000002
【特許請求の範囲】
【請求項１】
基板と該基板を測定対象物に水平に係合するための係合手段とを備えた基板部を設け、
上記基板上に直立軸を設けると共に、上記基板の板面に上記直立軸を通る直線を描いて当該直線により方向線を形成し、
上記直立軸に少なくとも北位置を記した分度器を回転自在に軸挿すると共に、
上記分度器上に真北測定器を上記分度器の北を示す位置にその真北指示部を一致させた状態で固設し、
上記真北測定器を分度器と共に回転させて上記真北指示部を真北方向に向けた状態において、当該真北と上記方向線との角度差を上記分度器により測定可能としたものであることを特徴とする方位測定装置。
【請求項２】
上記真北測定器は、上記分度器上に載置された平板状の時刻目盛板と、上記真北指示部を有し上記目盛板に対して直交する直立板と、上記直立板と上記時刻目盛板との間に張設された日影糸を具備しており、
当該真北測定器を上記分度器と共に回転させて、日影糸の上記時刻目盛板への投影時刻を真太陽時に一致させたとき、上記真北指示部が真北を指示するものであることを特徴とする請求項１記載の方位測定装置。
【請求項３】
細い棒を門型に折り曲げて門型棒を形成し、当該門型棒の両端部を上記方向線に沿って位置させた状態で、当該門型棒を上記基板部上に直立状態で固定したものであることを特徴とする請求項１又は２記載の方位測定装置。
【請求項４】
上記分度器の中心孔を上記直立軸の直径より若干大きく形成することにより、該分度器の上記直立軸への軸挿状態において当該分度器が上記基板の水平面に対して角度変位可能に構成し、
かつ上記分度器の上記水平面に対する角度変位手段を設けたものであることを特徴とする請求項１〜３の何れかに記載の方位測定装置。
【発明の詳細な説明】
【技術分野】
【０００１】
本発明は、太陽位置に基づいて方位角度を調べ、アンテナ等の設置物の方位角の測定を行うための方位測定装置に関するものである。
【背景技術】
【０００２】
従来、例えば携帯電話用の基地局のアンテナの設置の方位角を確認する方法として、特定の目標物とアンテナとの位置関係を目視で確認しその目標物の正確な位置を地図に記入する方法、磁石式コンパスにより方位を測定しその方位とアンテナの向きを確認する方法、真北測定器により真北を測定し真北に対するアンテナの向きを確認する方法等が提案されている（真北測定器について特許文献１〜３）。
【０００３】
また、市販のカーナビゲーションシステムを使って、上空のＧＰＳ衛星から測位し、その位置情報から方位角度を求める手段も提案されている。
【０００４】
一方、パラボラアンテナ等の方位角度の調整装置としては、太陽光を利用する装置（特許文献４，５）や、ＧＰＳアンテナを用いる装置が提案されている（特許文献６）。
【０００５】
【特許文献１】実公昭６１−０４５４４７号公報
【特許文献２】実公昭５３−０３６１３１号公報
【特許文献３】特開昭５１−０２０８７０号公報
【特許文献４】特開昭５９−９７２０６号公報
【特許文献５】特開平９−３６６３５号公報
【特許文献６】特開平１１−３１９１２号公報
【発明の開示】
【発明が解決しようとする課題】
【０００６】
ところで、地図と景観（目標物）とを目視で比較する方法は、目印となる建築物や構築物がない場合は方位を確認できないし、樹木の生長等で景観が変化することにより目標物の確認が困難になる等の課題があった。
【０００７】
また、磁気コンパスによる方位測定手段は、アンテナから出る電波や、鉄筋・鉄骨を使った建築物、高圧線、乗物、設備類などから出る電磁波が地磁気測定に影響を及ぼすため信頼性が低いとの課題があった。
【０００８】
この点、真北測定器による方位測定は、磁気的な影響を受けないので正確な測定が可能であるが、方位測定した真北を基準とするアンテナ等の設置方位の角度を正確に読み取る手段が無く、当該アンテナの真北に対する設置方位を簡便に測定できる装置が求められていた。
【０００９】
また、カーナビゲーションシステムによる方位測定は、カーナビゲーションシステムがＧＰＳ衛星の位置を確認するときの誤差や、衛星の時計とカーナビゲーションシステムの時計との誤差や、周囲の建物からのマルチパス（反射波）の影響によって位置測定に数ｍの誤差を生じるため、この位置情報から求めた方位角度にも誤差を生じた。
【００１０】
さらには特許文献４〜６に示されるものはパラボラアンテナ用であり、他のアンテナには適用し難いものであった。また、特許文献６に示すものはＧＰＳアンテナを２つ使用する必要があり、装置構成が複雑高価となるため、より簡便な方法でアンテナ等の対象物の方位を確認し得る装置が求められていた。
【００１１】
本発明は、簡便な構成で持ち運びも容易で、アンテナ等の対象物の方位角度を精度よく測定できる方位測定装置を提供することを目的とする。
【課題を解決するための手段】
【００１２】
本発明は上記課題を解決するために、
第１に、基板と該基板を測定対象物に水平に係合するための係合手段とを備えた基板部を設け、上記基板上に直立軸を設けると共に、上記基板の板面に上記直立軸を通る直線を描いて当該直線により方向線を形成し、上記直立軸に少なくとも北位置を記した分度器を回転自在に軸挿すると共に、上記分度器上に真北測定器を上記分度器の北を示す位置にその真北指示部を一致させた状態で固設し、上記真北測定器を分度器と共に回転させて上記真北指示部を真北方向に向けた状態において、当該真北と上記方向線との角度差を上記分度器により測定可能としたものであることを特徴とする方位測定装置により構成される。
【００１３】
上記係合手段は例えば４つの脚（３）により構成することができる。上記基板部は例えば上記脚（３）と基板（２）により構成することができる。上記分度器は例えば全方位板（４）により構成することができる。上記直立軸は例えばボルト（２２）により構成することができる。このように構成すると、測定対象物（例えばアンテナ）の方向表示（例えば矢印１０）に基板の方向線を合わせるように上記対象物に当該測定装置を装着し、真北測定器によって真北を測定したときに、真北測定器が示す真北方向と基板に描かれた方向線との角度を分度器によって正確かつ容易に読み取ることができる。
【００１４】
第２に、上記真北測定器は、上記分度器上に載置された平板状の時刻目盛板と、上記真北指示部を有し上記目盛板に対して直交する直立板と、上記直立板と上記時刻目盛板との間に張設された日影糸を具備しており、当該真北測定器を上記分度器と共に回転させて、日影糸の上記時刻目盛板への投影時刻を真太陽時に一致させたとき、上記真北指示部が真北を指示するものであることを特徴とする上記第１記載の方位測定装置により構成される。
【００１５】
このように構成すると、太陽光を用いた真北測定を行うことができ、地磁気やその他の電磁波等の影響を受けることがないため、測定対象物の方位を正確に測定し得る。
【００１６】
第３に、細い棒を門型に折り曲げて門型棒を形成し、当該門型棒の両端部を上記方向線に沿って位置させた状態で、当該門型棒を上記基板部上に直立状態で固定したものであることを特徴とする上記第１又は２記載の方位測定装置により構成される。
【００１７】
上記門型棒は例えば撮影棒（６）により構成することができる。また上記門型棒の両端部は、上記撮影棒（６）の垂直部（６ａ，６ａ）の各端部により構成することができる。このように構成すると、測定対象物の方向に方向線を合わせた状態において、上記門型棒の一対の支柱（垂直部６ａ、６ａ）を一致させた状態で背後の景色をカメラ等に撮影することにより、当該測定対象物の位置を背景と共に正確に記録することができる。
【００１８】
第４に、上記分度器の中心孔を上記直立軸の直径より若干大きく形成することにより、該分度器の上記直立軸への軸挿状態において当該分度器が上記基板の水平面に対して角度変位可能に構成し、かつ上記分度器の上記水平面に対する角度変位手段を設けたものであることを特徴とする上記第１〜３の何れかに記載の方位測定装置により構成される。
【００１９】
上記分度器の角度変位は、例えばその中心孔（ａ’）を直立軸の直径より若干大きくすることにより実現し得る。また、上記角度変位手段は、例えば上記分度器上部から上記基板部に向けて調整螺子を螺合して、当該螺子の先端を上記基板の水平面に当接させた状態で、当該調整螺子を回転させる手段により構成することができる。このように構成すると、測定地点の緯度に応じて日影糸の角度を調整することができ、より正確な方位測定を行い得る。
【発明の効果】
【００２０】
本発明に係る方位測定装置によると、地磁気の影響や反射波の影響を受けることなく、真北を正確に測定し得ると共に、当該真北を基準として当該真北からの測定対象物の向きの角度差を容易に測定することができる。
【００２１】
また、簡単な構成で持ち運びにも便宜であり、門型棒により測定対象物の方位を背景と共に正確に記録に残すこともできる。
【発明を実施するための最良の形態】
【００２２】
以下、本発明に係る方位測定装置の一実施形態を添付図面に基づいて詳細に説明する。尚、本実施形態では上記方位測定装置をアンテナの方位測定に適用する場合を説明する。
【００２３】
図１は本発明に係る方位測定装置１の全体構成を示す斜視図である。同図において、同装置１は、円形の基板２、４つの脚（係合手段）３、円形の全方位板（分度器）４、全方位板４に固定された真北測定器５、撮影棒（門型棒）６、及び安全ワイヤー７（図３）等を具備している。本実施形態におけるアンテナ９は図３に示すように円柱状をなしており、当該アンテナ９の上端部に本発明に係る方位測定装置１を同図に示すように装着して当該アンテナ９の方位を測定する。
【００２４】
図２に示すように、上記基板２は透明又は半透明の樹脂製の円板であり、例えばアクリル板により構成され、強度を必要とするため５ｍｍ〜１０ｍｍの厚さを有している。この基板２の表面には、該基板２の中心Ｐを通る直線が描かれており、この直線が方向線２１を構成している。
【００２５】
上記基板２の周縁部には９０度毎の間隔を介して４つの脚３が固定されている。これらの脚３は各々直交する水平部３ａと垂直部３ｂからなる逆Ｌ字型をなしており、各々上記水平部３ａの端部上面を上記基板２の裏面側に宛い、上記基板２の上面側から平ボルト３３により螺子止めすることにより上記基板２に固定されている。上記脚３のうち対向する２つの脚３、３は、方向線２１に沿って取り付けられ、残り２つの対向する脚３、３は、方向線２１と直交する位置に各々取り付けられている。
【００２６】
また上記基板２の中心Ｐには孔ａが貫設されており、当該孔ａにボルト（直立軸）２２が基板２の下から挿通され、該基板２の上面側から上記ボルト２２に座金２３が挿通され、さらに該ボルト２２にナット２４を螺着して締め付けることにより当該ボルト２２を基板２に直立状態で固定している（図６参照）。尚、このボルト２２は上記全方位板４を回転自在に取り付けるためのものである。
【００２７】
基板２の周縁近傍の板面には、互いに１２０度の角度を介して３つの螺子孔ｂが開孔され、これら螺子孔ｂに各々３本の水平調整螺子２５が螺合されている（図４参照）。上記水平調整螺子２５の内の１つは、上記方向線２１上に位置しており、当該螺子２５は上記方向線２１上に位置する上記脚３の水平部３ａに設けられた螺子孔ｃにさらに螺合され当該水平部３ａを下方に貫通している。なお、上記水平調整螺子２５は、六角レンチによって水平調整ができるよう六角穴付き螺子を使用することが好ましい。
【００２８】
上記４つの脚３の内、上記方向線２１に沿う一対の脚３、３の垂直部３ｂ、３ｂには上記方向線２１に沿う水平方向の螺子孔ｄ，ｄが各々開口されており、これら螺子孔ｄ、ｄに各々固定螺子３１，３１が上記垂直部３ｂ，３ｂの外側から水平方向に螺入されている。また、他の対向する脚３、３の垂直部３ｂ，３ｂにも上記方向線２１に直交する直線に沿う水平方向の螺子孔ｄ，ｄが各々開口されており、これら螺子孔ｄ、ｄに各々固定螺子３１，３１が上記垂直部３ｂ，３ｂの外側から水平方向に螺入されている。よって、上記４つの固定螺子３１は上記基板２の中心Ｐを通る互いに直交する直線に沿って設けられており、これにより方位測定を行う対象物（上記円柱状のアンテナの９）外周を、９０度の角度差をもった互いに対向する２箇所から挟持し得るように構成されている（図４参照）。上記各固定螺子３１には、手で回して締め付けられるようチョウボルトを使用することが好ましい。
【００２９】
上記方向線２１上にある一の上記脚３と、該脚３に隣接する脚３の水平部３ａ上には各々水準器３２が固定されている。
【００３０】
また、アンテナ９の上面９ａにはアンテナの向きを示す矢印１０が記されている（図５、図７参照）。
【００３１】
上記全方位板４は透明又は半透明の円板状のものであり、アクリル板等により構成されている。尚、この全方位板４は装置の軽量化等の観点からして上記基板２より若干薄く形成することが好ましい。この全方位板４の表面側の周縁には、１０度毎に全周３６０度の角度目盛４１と該目盛４１毎に角度を表す数字が描かれている（図４参照）。ただし、３５０度〜３６０度、０度〜１０度の２０度の間は１度ごとに角度目盛が描かれている。この１度ごとの角度目盛は、０度〜３６０度の全角度にわたって描いてもよい。また、東西南北を示す０度、９０度、１８０度、２７０度の所には、数字の代わりに各々東西南北を示す「Ｎ」、「Ｅ」、「Ｓ」、「Ｗ」の文字が記されている（図４参照）。また、ＮＳ（０度−１８０度）間およびＥＷ（９０度−２７０度）間には、全方位板４の中心Ｐ’を通る互いに直交する直線Ｌ１、Ｌ２が描かれている。尚、上記文字の表示は少なくとも北（Ｎ）の表示でも良い。
【００３２】
この全方位板４の上記中心Ｐ’には上記ボルト２２の直径より若干大きな直径の孔ａ’が開口されており、当該孔ａ’内に上記ボルト２２を挿通させることで当該全方位板４を上記基板２上に回転自在に装着する。即ち、上記ボルト２２は上記孔ａ’に多少の遊びを以って挿入しているので、上記全方位板４は上記基板２に対してある程度角度変位可能な状態で取り付けられている（図６二点鎖線参照）。
【００３３】
当該全方位板４の上記南北方向の直線Ｌ１に沿う上記０度（Ｎ）の位置と上記１８０度（Ｓ）の位置には各々螺子孔ｅ，ｅが開孔されており、これら螺子孔ｅ，ｅに傾き調整螺子４２ａ、４２ｂが各々螺入されている（図６参照）。この傾き調整螺子４２ａ、４２ｂは、基板２と平行な水平面ｔ（図６）に対して全方位板４の南北方向の傾き（具体的には日影糸５３と水平面ｔとの角度θ２、図１０参照）を調整するためのものである。
【００３４】
上記全方位板４の上面には真北測定器５が固定されている。当該真北測定器５の本体は、長方形板状の時刻目盛板５１と、該目盛板５１の一方短辺に沿って直立して設けられた直立板５２からなり、本体全体としてＬ字型をなしている。上記時刻目盛板５１と上記直立板５２は、アルミ材の平板を加工したものであり、直立板５２の下端部を時刻表示板５１の一方短辺にネジ止め等することにより構成されている。尚、上記時刻目盛板５１にアルミ材を用いたのは、時刻目盛板５１上に投影される日影糸５３の影がよく見えるからである。
【００３５】
また、上記直立板５２の上端部中心位置（真北指示部）ｇ’と上記時刻目盛板５１の他方短辺の中心位置ｇとの間には、日影糸５３が張設されており、これらの日影糸５３の直立板５２側の一端は張力維持用のバネ５８を介して係止用ピン５８’に係止しており、時刻目盛板５１側の他端は上記目盛板５１の上記短辺に設けられた貫通孔５９に挿通後、抜け止めピン５９’に係止することで抜け止め処理がなされている（図２参照）。上記バネ５８には常時縮小方向の附勢力が作用しており、当該バネ５８により上記日影糸５３には常時一定の張力が作用する構成となっている。尚、図中５７は上記日影糸５３を上記中心位置ｇ’に案内するための直線Ｌ１に平行な溝である。
【００３６】
上記時刻目盛板５１は、その板面の上記中心位置ｇ寄りの中央位置に長方形の開口部５５が形成されており、その開口部５５の周囲に上記中心位置ｇから放射状に時刻目盛５６が刻まれている。この時刻目盛５６は、午前６時から午後６時まで１０分ごとに目盛が刻まれている（図４、図５参照）。上記開口部５５は、その開口部５５から直線Ｌ１を目視できるようにしたものであり、さらに当該開口５５からは透明又は半透明の全方位板４を介して基板２の直線２１、及び透明又は半透明の基板２を介してアンテナ９上の矢印１０を目視することができる。尚、時刻目盛板５１に対する日影糸５３の傾きθ２は、本実施形態の場合３５度に設定されている。
【００３７】
上記真北測定器５は、その時刻目盛板５１の正午目盛と中心位置ｇとを結ぶ線と、上記全方位板４の上記南北間の直線Ｌ１とを正確に一致させ、かつ上記直立板５２の真北指示部ｇ’が上記全方位板の北側（Ｎ）に向いた状態で接着剤等によって固設されている（図４参照）。このように真北測定器５と全方位板４は一体化されており、当該真北測定器５が固定された全方位板４は、上記孔ａ’に上記基板２の中心ボルト２２を挿通して、上記基板２と同心的に当該基板２上に回転可能状態で載置される。また、上記全方位板４の上面側から上記ボルト２２に抜け止め用のチョウナット２７が螺合されている。
【００３８】
ところで、上記真北測定器５で真北を測定するに際して、上記日影糸５３の水平面との角度（θ２）を、当該測定地点の北緯に合わせる必要がある。本実施形態では、予めθ２＝３５度に設定しているので、測定地点が北緯３５度の地点であれば調整は不要であるが、例えば測定地点の北緯が３５度より低い値の場合は、例えば調整螺子４２ｂをねじ込んで上記全方位板４を中心点Ｐ’を中心として矢印ｎ方向（南北方向）に傾斜させることにより（＋θ３方向）、上記角度θ２を３５度より小さい当該地点の角度（θ２”）に合わせることができる（図１０の真北測定器５”の位置）。また、測定地点の北緯が３５度よりも高い値の場合は、例えば調整螺子４２ａをねじ込んで上記全方位板４を中心点Ｐ’を中心として矢印ｍ方向（南北方向）に傾斜させることにより（−θ３方向）、上記角度θ２を３５度より大きい角度（θ２’）に調整することができる（図１０の真北測定器５’の位置参照）。
【００３９】
上記方向線２１の延長線上に沿う対向する上記脚３、３の各々の水平部３ａ，３ａ上には金属棒からなる門型の撮影棒（門型棒）６が立設固定されている（図１参照）。この撮影棒６は、垂直部６ａ，６ａの下端が上記方向線２１の延長線上の位置（取付孔ｆ、ｆの位置）において上記水平部３ａ，３ａに垂直に立設固定されており、これにより、上記垂直部６ａ，６ａを結ぶ水平部６ｂは上記方向線２１に正確に平行に位置するように構成されている。尚、図２、図３では撮影棒６の上半部の一部を省略して描いている。
【００４０】
図３に示すように、２つの上記固定螺子３１、３１には落下防止用の安全ワイヤー７がその両端のフック７１を以って係合している。尚、７２は落下防止用のフックである。
【００４１】
本発明に係る方位測定装置は、上述のように構成されるものであるから、次に当該測定装置を使用してアンテナの方位測定の方法について説明する。
【００４２】
当該方位測定装置１の使用条件は、天候が晴れまたは薄曇りであって太陽光線によって物体が影を形成することが必要である。また、正確な日本標準時を知ることが必要であるため事前に時報などによって時計の時刻を合わせておく。
【００４３】
また、上記真北測定器５により真北を測定する場合は、その地点の真太陽時の時刻と真北測定器５における日影糸５３による影の時刻を合わせる必要があるので、測定地点の真太陽時を算出しておく必要がある。その土地の真太陽時は、その土地の太陽南中時刻と日本標準時との時差から求めることができるため、当該時差を示す既存の換算時差表（図９参照）から当該時差を読み取る。
【００４４】
例えば、１２月２日に佐賀市において方位測定を行うとすると、佐賀市の位置はおおよそ北緯３３°１０’東経１３０°２０’であるから、東経１３０°２０’における換算時差表（図９）から日本標準時との時差を読み取る。この場合、時差は７分５１秒であるので、日本標準時間の１２時００分００秒（正午）から７分５１秒遅れた１２時０７分５１秒に太陽が南中することを示している。ここで時計の時刻を変更しておくと作業上便利であるため、前記日本標準時間に合わせた時計の時刻を７分５１秒戻しておく。たとえば現在時刻が１０時０７分５１秒であるとすると、１０時００分００秒に時刻を合わせる。これによりこの時計が真太陽時を示す時計（太陽が南中するときに１２時を示す時計）となり、１２時００分００秒を示したときに太陽が南中することになる。
【００４５】
次に、方位測定装置１を、図３に示すように円柱状のアンテナ９の上部に載せる。このとき、アンテナ上部に予め描かれたアンテナの方位を示す矢印１０の方向に基板２の方向線２１を一致させる（図５参照）。その後、３つの水平調整螺子２５を上記アンテナ９の上面９ａに当接させ、当該調整螺子２５を以って水準器３２を見ながら基板２の位置を水平に調整する。そして、脚３の４本の固定螺子３１をねじ込んで、これらの螺子３１の先端部をアンテナ９の外周面に当接させてアンテナ９を挟持し、これにより当該方位測定装置１を上記アンテナ９の上部に固定する（図５参照）。尚、鉄塔などの高所作業である場合は、落下防止ワイヤー７をアンテナ９の支柱などに通すか、またはワイヤー７のフック７２を自らのベルト等にひっかけて落下防止対策を施す。
【００４６】
次に、水平面に対する全方位板４の傾きを調整することより、日影糸５３の傾きθ２をその土地の緯度に合うように補正する。ここで、測定地点を上記佐賀市とすると、北緯３３°１０’であるので、全方位板４が水平状態にある状態から調整螺子４２ｂをねじ込むことにより、当該全方位板４を中心点Ｐ’を中心として矢印ｎ方向に２度傾斜させ（θ３＝２度）、θ２＝３３度に設定する（図６、図１０参照）。尚、仮に北緯２６°１０′に位置する那覇市で方位測定を行う場合は、同様の調整によりθ２＝２６度に設定すれば良い。尚、θ２の上記調整は、例えば半円形の分度器を基板２の端部に当て、それを見ながら２本の傾き調整ネジ４２ａ，４２ｂの一方を緩め他方を螺子込む操作等により行う。また、この緯度補正は事前に行うことができるので、方位測定器１をアンテナ９に取り付ける前に行ってもよい。
【００４７】
次に、上記時計を見て現在の太陽時を調べ、この時刻に対応する時刻目盛板５１の時刻目盛５６に、太陽光線がつくる日影糸５３の影を合わせる（図５参照）。これは全方位板４を基板２に対して回動させて行う。例えば現在時刻が１０時００分であったとすると、時刻目盛板５１の１０時００分の時刻目盛に日影糸５３の影Ｋを合わせる。このとき時刻目盛板５１の１２時００分方向（全方位板のＮの方向、矢印Ｖの方向）が真北を示しており、全方位板４が正確に東西南北を示していることになる（図５参照）。
【００４８】
次に、基板２の方向線２１と全方位板４の真北方向（Ｎ）との角度θ１を全方位板４の角度目盛４１から読み取る。これがアンテナ９の方位角度である。尚、図５では、θ１＝２８０度となっている。
【００４９】
ここで、予め当該アンテナ９の真北を基準とする設置角度は定まっており、当該設置角度が２８０゜であれば、当該アンテナ９は正確に位置しており設置方位にずれは存在しないことになる。一方、予め定められた設置角度が例えばθ１＝２９０度であったとすると、当該アンテナ９は設置角度から１０度のずれがあることが確認できる。この場合、例えば、全方位板４を固定した状態で、アンテナ９を回転させて上記矢印１０を全方位板の２９０度の位置まで回転させることができれば、当該アンテナ角度の修正も行うことができる。
【００５０】
上記アンテナ９の設置位置が正確である場合は、当該位置における撮影棒６の垂直部６ａ，６ａが１つに重なって見える方向から当該撮影棒６の背後の景色をカメラで撮影する（図８参照）。これによりアンテナ設置位置における正確な方向の景色を記録として残すことができる。尚、図８中Ｈは景色中の目標物である。
【００５１】
上記実施形態では、本発明の方位測定装置をアンテナの方位測定に利用する場合を説明したが、方位を測定したい対象物の方向が分かれば、当該方向に上記方位測定装置１の方向線２１をあわせ、その後上記と同様の方法により真北を測定して上記全方位板４を真北に向けることにより、上記測定対象物の方向と真北との角度差を正確に測定することができる。よって、本発明はアンテナに限らず、各種の方位角度を測定することができるものである。
【産業上の利用可能性】
【００５２】
本発明に係る方位測定装置は、簡単に持ち運ぶことができ、かつ精度のよい方位測定ができ、かつ高所環境で使用できるため、電気通信、土木・建築などの分野に用いるのに適しており、また一般の用途にも用いることができる。
【図面の簡単な説明】
【００５３】
【図１】本発明に係る方位測定装置の斜視図である。
【図２】同上装置の分解斜視図である。
【図３】同上装置の側面図である。
【図４】同上装置の平面図である。
【図５】同上装置の真北測定時の平面図である。
【図６】同上装置の真北測定器近傍の側面図である。
【図７】同上装置で方位を測定するアンテナの先端部の斜視図である。
【図８】同上装置にて景色を撮影する状態を示す図である。
【図９】真太陽時に時計を合わせるに際して使用する換算時差表の一部を示す図である。
【図１０】全方位板を角度調整する際の角度θ２と水平面との関係を示す図である。
【符号の説明】
【００５４】
１              方位測定装置
２              基板
３              脚
４              全方位板
５              真北測定器
６              撮影棒
６ａ            垂直部
７              安全ワイヤー
９              アンテナ
２１            方向線
２２            ボルト
３１            固定螺子
４２ａ，４２ｂ  傾き調整螺子
５１            時刻目盛板
５２            直立板
５３            日影糸
ａ’            中心孔
【図１】
2008051769.tif 000003
【図２】
2008051769.tif 000004
【図３】
2008051769.tif 000005
【図４】
2008051769.tif 000006
【図５】
2008051769.tif 000007
【図６】
2008051769.tif 000008
【図７】
2008051769.tif 000009
【図８】
2008051769.tif 000010
【図９】
2008051769.tif 000011
【図１０】
2008051769.tif 000012